(57)【特許請求の範囲】
【請求項１】
脳の機能障害で麻痺した腕・肩の筋力を卓上で回復させるリハビリテーション器具であって、少なくとも前後方向及び左右方向へ移動可能にする車輪を備えた腕を載せるための腕台と、その腕台の左右いずれかの位置に脱着可能に取り付けて腕の滑り落ちを防止する腕受け板と、腕台の先端位置に設けて手の握り場所とする横向き又は縦向きの握り棒とで構成し、しかも腕台の上面に腕を定位置に保持できる凹所を形成したことを特徴とする、卓上用リハビリテーション器具。
【請求項２】
握り棒が脱着可能で、その取り付けの向きを横向き又は縦向きに変更できるものである、請求項１記載の卓上用リハビリテーション器具。
【請求項３】
腕受け板が、腕台の左右位置いずれにも脱着可能に取り付けられるものである、請求項１又は２記載の卓上用リハビリテーション器具。
【発明の詳細な説明】
【技術分野】
【０００１】
本発明は、脳疾患等による機能障害で麻痺した腕・肩の筋力を卓上で回復させるリハビリテーション器具に関する。
【背景技術】
【０００２】
従来の卓上用リハビリテーション器具が特許文献１に開示されている。この技術は、プーリーに張り渡したベルトの回動によって往復する移動体と、その移動体の先端位置に設けた取っ手と、その取っ手の握りを検知するセンサーと、そのセンサーが握りを検知するとプーリーを回転させて移動体を往復させるモーターで構成したことを特徴としている。この技術によれば、器具をテーブルに置いて取っ手を握ると、移動体が自動的に往復して腕・肩が屈伸され、入院や通院することなく自宅でリハビリできるようになる、というものである。
【０００３】
ところで、前記技術の器具は往復運動のみ可能な構造であるから、前後方向の運動と左右方向の運動を両方行う場合は、重い器具を置き直して向きを変える必要があり、使い勝手が悪いものであった。また、モーターやセンサーを作動させるためには電源が必要であるから、コンセントから離れている場所では使用しにくいものであった。さらに、そのモーターやセンサー等で器具が高価格となりやすく、それらの部品が故障すると使用することができなかった。
【先行技術文献】
【特許文献】
【０００４】
【特許文献１】実用新案登録第３１４０５５８号公報
【発明の概要】
【発明が解決しようとする課題】
【０００５】
本発明が解決しようとする課題は、従来のこれらの問題点を解消し、器具の向きを変えることなく前後左右いずれの方向にも運動でき、電源が不要で故障の心配も無く、低コストで製作できるようにすることにある。
【課題を解決するための手段】
【０００６】
かかる課題を解決した本発明の構成は、
１）  脳の機能障害で麻痺した腕・肩の筋力を卓上で回復させるリハビリテーション器具であって、少なくとも前後方向及び左右方向へ移動可能にする車輪を備えた腕を載せるための腕台と、その腕台の左右いずれかの位置に脱着可能に取り付けて腕の滑り落ちを防止する腕受け板と、腕台の先端位置に設けて手の握り場所とする横向き又は縦向きの握り棒とで構成し、しかも腕台の上面に腕を定位置に保持できる凹所を形成したことを特徴とする、卓上用リハビリテーション器具
２）  握り棒が脱着可能で、その取り付けの向きを横向き又は縦向きに変更できるものである、前記１）記載の卓上用リハビリテーション器具
３）  腕受け板が、腕台の左右位置いずれにも脱着可能に取り付けられるものである、前記１）又は２）記載の卓上用リハビリテーション器具
にある。
【発明の効果】
【０００７】
本発明によれば、以下の効果を奏する。
１）腕台は車輪で前後左右に移動可能であるから、前後方向の運動だけでなく、左右方向の運動も器具の向きを変えることなくできる。
２）モーターやセンサー等がないから、電源が不要で使用場所を選ばず、故障の心配も無い。
３）使用する部材は板材や車輪等の安価な部材で済むから、モーターやセンサー等の部品は不要で、低コストで製作できる。
【図面の簡単な説明】
【０００８】
【図１】実施例の卓上用リハビリテーション器具の側面図である。
【図２】実施例の卓上用リハビリテーション器具の平面図である。
【図３】図２のＡ−Ａ線断面図である。
【図４】実施例の卓上用リハビリテーション器具の底面図である。
【図５】実施例の握り棒を付け替えた卓上用リハビリテーション器具の前面図である。
【図６】実施例の卓上用リハビリテーション器具の使用状態を示す平面図である。
【図７】実施例の卓上用リハビリテーション器具の使用状態を示す平面図である。
【発明を実施するための形態】
【０００９】
以下、本発明を実施するための形態を実施例と図面に基づいて具体的に説明する。
【実施例】
【００１０】
図１は実施例の卓上用リハビリテーション器具の側面図、図２は実施例の卓上用リハビリテーション器具の平面図、図３は図２のＡ−Ａ線断面図、図４は実施例の卓上用リハビリテーション器具の底面図、図５は実施例の握り棒を付け替えた卓上用リハビリテーション器具の前面図、図６，７は実施例の卓上用リハビリテーション器具の使用状態を示す平面図である。
【００１１】
図中、１は腕台、１ａは凹所、１ｂ，１ｃはネジ穴、１ｄは支持台、１ｅは開口、２は車輪、３は腕受け板、３ａはネジ、４は横向きの握り棒、５は縦向きの握り棒、５ａはネジ、６はナットである。
【００１２】
図１〜５に示すように、腕台１は長さ４１０ｍｍ、幅１７０ｍｍ、厚さ１２ｍｍの板材に開口を形成し、その板材の下面に別の板材を積層して深さ１２ｍｍの凹所１ａを形成している。腕台１は一枚の厚い板材に凹所１ａを直接切削してもよい。また、その凹所１ａに代えて、腕台１の上面にゴム等の摩擦抵抗を有する滑り止めマットを敷設したり、摩擦が発現できる滑り止め塗料を塗装してもよく、これらの方法と凹所１ａの形成を併用してもよい。
【００１３】
腕台１の左右位置には腕受け板３を固定するためのネジ穴１ｂを形成し、腕台１の前端部の中間位置には縦向きの握り棒５を固定するためのネジ穴１ｃを形成している。そのネジ穴１ｃの左右位置には横向きの握り棒４を嵌入するための内径３０ｍｍの開口１ｅが形成された支持台１ｄを一体的に設けている。腕台１の下面の四隅には車輪２を取り付けている。車輪２は任意の方向に転換できる自在キャスターを用いている。
【００１４】
腕受け板３は長さ２００ｍｍ、幅４０ｍｍの板材からなり、その下端に腕台１のネジ穴１ｂに挿入するためのネジ３ａを突設している。横向きの握り棒４は長さ１７０ｍｍ、外径３０ｍｍの棒材からなり、支持台１ｄの開口１ｅに嵌入した際、摩擦で固定され、多少の力で引き抜くことができるようになっている。縦向きの握り棒５は長さ１２０ｍｍ、外径３０ｍｍの棒材からなり、片側の端面に腕台１のネジ穴１ｃに挿入するためのネジ５ａを突設している。
【００１５】
前後方向に運動する場合は、横向きの握り棒４を左右の支持台１ｄの開口１ｅに嵌入して取り付け、腕受け板３のネジ３ａをリハビリしようとする側の腕の外側となる位置のネジ穴１ｂに差し込み、ナット６で締めて取り付ける。そして、卓上用リハビリテーション器具をテーブルに置き、図６に示すように、腕を腕台１の凹所１ａに載せて横向きの握り棒４を握る。この状態で卓上用リハビリテーション器具を前後に往復させる（その際は他方の手で腕台１を押して加勢する）と、腕台１が車輪２によりテーブル上を移動して肘・肩・肩甲骨が屈伸される。
【００１６】
左右方向に運動する場合は、横向きの握り棒４を支持台１ｄから取り外し、図５に示すように、縦向きの握り棒５のネジ５ａを腕台１のネジ１ｃに差し込み、ナット６で締めて取り付ける。そして、図７に示すように、腕を腕台１の凹所１ａに載せて縦向きの握り棒５を握る。この状態で卓上用リハビリテーション器具を左右に往復させると、腕台１が車輪２によりテーブル上を移動して肘・肩・肩甲骨が屈伸される。
【００１７】
なお、縦向きの握り棒５でも前後方向の運動が可能である。また、腕は凹所１ａに載って定位置に保持されているからずれにくいが、例えずれても腕受け板３と接して腕台１から滑り落ちることはない。さらに、腕受け板３は片側だけでなく左右両方に取り付けてもよい。
【産業上の利用可能性】
【００１８】
本発明の技術は、脳疾患等による機能障害で麻痺した腕・肩の筋力を卓上で回復させる用途に利用される。
【符号の説明】
【００１９】
１  腕台
１ａ  凹所
１ｂ，１ｃ  ネジ穴
１ｄ  支持台
１ｅ  開口
２  車輪
３  腕受け板
３ａ  ネジ
４  横向きの握り棒
５  縦向きの握り棒
５ａ  ネジ
６  ナット
【図１】
0005244203.tif 000002
【図２】
0005244203.tif 000003
【図３】
0005244203.tif 000004
【図４】
0005244203.tif 000005
【図５】
0005244203.tif 000006
【図６】
0005244203.tif 000007
【図７】
0005244203.tif 000008